(57)【要約】      （修正有）【課題】  液晶表示パネルの大型化にも拘らず、該液晶表示パネルの透明基板に対するフレキシブル配線基板の接続不良を防止する。【解決手段】  液晶を介して互いに対向配置される透明基板を外囲器とし、該液晶の広がり方向に複数の画素を有するものであって、該画素に映像信号を供給する駆動回路と、この駆動回路の入力側にコントロール回路が搭載された基板側から信号を供給するフレキシブル配線基板とを備える液晶表示装置において、フレキシブル配線基板は複数に分割されている。【選択図】なし【特許請求の範囲】
【請求項１】
複数の画素を備えたガラス基板と、
コントロール回路が搭載されたプリント基板と、
前記ガラス基板の一辺に沿って配置され、コントロール回路からの信号により駆動される複数の駆動回路と、
各々が前記プリント回路基板側に一部が延在した延在部を有し、各々が該延在部において前記プリント回路基板に接続され、各々が前記コントロール回路からの信号を複数の駆動回路に供給する２つの回路基板と、
前記プリント基板と前記延在部との間に配置された接続部と、を有し、
前記延在部はフレキシブルプリント基板で構成され、
前記接続部は互いに隣接して配置されていることを特徴とする表示装置。
【請求項２】
複数の画素を備えたガラス基板と、
コントロール回路が搭載されたプリント基板と、
前記ガラス基板に一辺に沿って配置され、コントロール回路からの信号により駆動される複数の駆動回路と、
各々が、前記プリント回路基板側に一部が延在した延在部を有し、該延在部において前記プリント回路基板に接続され、前記コントロール回路からの信号を複数の駆動回路に供給する２つの回路基板とを有し、
前記延在部はフレキシブルプリント基板で構成され、互いに隣接して配置されていることを特徴とする表示装置。
【請求項３】
複数の画素を備えたガラス基板と、
コントロール回路が搭載されたプリント基板と、
前記ガラス基板の一辺に沿って配置され、コントロール回路からの信号により駆動される複数の駆動回路と、
各々が前記プリント回路基板に接続部を介して接続され、各々が前記コントロール回路からの信号を複数の駆動回路に供給する２つの回路基板と、
前記２つの回路基板の接続部は互いに隣接して配置されていることを特徴とする表示装置。
【請求項４】
請求項１又は３において、
前記２つの回路基板の接続部の間にコントロール回路が配置されていることを特徴とする表示装置。
【請求項５】
請求項１又は２において、
前記２つの延在部の間にコントロール回路が配置されていることを特徴とする表示装置。
【請求項６】
請求項１、２、３又は４において、
前記コントロール回路からの出力を、前記接続部を介してそれぞれの回路基板に供給することを特徴とする表示装置。
【請求項７】
請求項１、２又は５において、
前記コントロール回路からの出力を、前記延在部を介してそれぞれの回路基板に供給することを特徴とする表示装置。
【発明の詳細な説明】
【技術分野】
【０００１】
本発明は液晶表示装置に係り、特に、アクティブ・マトリックス型の液晶表示装置に関する。
【背景技術】
【０００２】
アクティブ・マトリックス型の液晶表示装置は、その液晶表示パネルの各画素毎にたとえば薄膜トランジスタ（ＴＦＴ）からなるスイッチング素子が組み込まれている構成に特徴を有する。
すなわち、液晶を介して互いに対向配置される透明基板を外囲器とし、該液晶の広がり方向に形成された各画素は、一方の透明基板の液晶側の面に形成された隣接する走査信号線および隣接する映像信号線によって囲まれた部分に構成され、一方の走査信号線から走査信号の供給によって駆動されるスイッチング素子と、このスイッチング素子を介して一方の映像信号線から供給される映像信号が印加される画素電極とが備えられている。
このことから、各走査信号線の一端からは走査用の駆動回路からの信号が入力されるようになっているとともに、各映像信号線の一端からは映像信号用の駆動回路からの信号が入力されるようになっている。そして、これら各駆動回路は一方の透明基板の周辺に搭載されるようになっている。
また、これら各駆動回路には、たとえばプリント基板に搭載されたコントロール回路等からの信号が入力されるようになっているが、それら信号の伝達は該プリント基板と液晶表示パネルの一方の透明基板（各駆動回路が搭載された側の透明基板）との間に接続されたフレキシブル配線基板によって行われているものがある。
【０００３】
【特許文献１】特開平１０−２２２０８６号公報
【発明の開示】
【発明が解決しようとする課題】
【０００４】
しかしながら、このように構成された液晶表示装置は、それが大型化される傾向にあるのにともない、液晶表示パネルの一方の透明基板に対するフレキシブル配線基板の接続不良が往々にして発生することが指摘されるに到った。
すなわち、一方の透明基板とフレキシブル配線基板はそれらに形成された対応する配線端子同士が互いに対向して接続される構成となっているが、フレキシブル配線基板の熱による膨張によって、その配線端子が一方の透明基板側の配線端子に対してずれてしまうことが確認された。
そして、このずれは液晶表示装置（正確には、液晶表示パネル）の大型化に比例して大きくなることから、その対策が必須となるに到った。
【０００５】
ここで、フレキシブル配線基板の熱による膨張の弊害は、該フレキシブル配線基板を液晶表示パネルの一方の透明基板に対する接続の際に発生するばかりでなく、接続の後においても発生することも判明している。
フレキシブル配線基板を良好に接続させた後でも、該フレキシブル配線基板の膨張によって該接続部が剥がれてしまうからである。
【０００６】
さらに、このように構成された液晶表示装置は、やはりそれが大型化される傾向にあるのに伴い、並設される映像信号線の並設方向の一方の側の映像信号線における映像信号に波形の歪みが生じ易いことが指摘されるに到っている。
すなわち、コントロール回路は、フレキシブル配線基板を介して、各駆動回路に信号を供給する構成となっているが、該コントロール回路に対して遠方にある映像信号線に伝達される映像信号は、その伝達の過程で接続されている他の駆動回路の影響によって波形の歪みが生じることが確認された。
【０００７】
本発明はこのような事情に基づいてなされたものであり、その目的は、液晶表示パネルの大型化にも拘らず、該液晶表示パネルの透明基板に対するフレキシブル配線基板の接続不良を防止できる液晶表示装置を提供することにある。
また、本発明の目的は、液晶表示パネルの大型化にも拘らず、並設される信号線の並設方向の一方の側の信号線における信号に波形の歪みが生じるのを防止できる液晶表示装置を提供することにある。
【課題を解決するための手段】
【０００８】
本願において開示される発明のうち、代表的なものの概要を簡単に説明すれば、以下のとおりである。
手段１．
液晶を介して互いに対向配置される透明基板を外囲器とし、該液晶の広がり方向に複数の画素を有するものであって、
該画素に映像信号を供給する駆動回路と、この駆動回路の入力側にコントロール回路が搭載された基板側から信号を供給するフレキシブル配線基板とを備える液晶表示装置において、
フレキシブル配線基板は複数に分割されていることを特徴とするものである。
【０００９】
このように構成された液晶表示装置によれば、フレキシブル配線基板が熱によって膨張したとしても、その長さが従来よりも短くなっていることから、駆動回路との接続部において発生する熱応力を小さくすることができるようになる。
このため、液晶表示パネルの大型化にも拘らず、該液晶表示パネルの透明基板に対するフレキシブル配線基板の接続不良を防止できるようになる。
【００１０】
手段２．
上述した手段１の液晶表示装置において、コントロール回路は、その回路から各フレキシブル配線基板のそれぞれに信号を供給するように構成されていることを特徴とするものである。
このように構成された液晶表示装置によれば、各フレキシブル配線基板の接続部からそれぞれ最も遠い信号線およびその近傍の信号線までの距離が従来よりも短くなるため、該信号線に供給される信号の波形歪みの発生を防止できるようになる。
【００１１】
すなわち、フレキシブル配線基板の配線は、充放電を繰り返す回路が組み込まれている駆動回路によって容量が大きくなってしまうが、その駆動回路の数を上述した構成によって半減できることから、容量の大幅な減少を達成できるようになる。
したがって、液晶表示パネルの大型化にも拘らず、並設される信号線の並設方向の一方の側の信号線における信号に波形の歪みが生じるのを防止できるようになる。
【発明の効果】
【００１２】
以上説明したことから明らかなように、本発明による液晶表示装置によれば、液晶表示パネルの大型化にも拘らず、該液晶表示パネルの透明基板に対するフレキシブル配線基板の接続不良を防止することができるようになる。
また、液晶表示パネルの大型化にも拘らず、並設される信号線の並設方向の一方の側の信号線における信号に波形の歪みが生じるのを防止することができるようになる。
【発明を実施するための最良の形態】
【００１３】
以下、本発明による液晶表示装置の実施例を図面を用いて説明をする。
実施例１．
〔全体構成〕
図１は、本発明による液晶表示装置の全体を示す概略構成図である。
この実施例では、広い視野角をもつものとして知られているいわゆる横電界方式を採用した液晶表示装置に本発明を適用させている。
【００１４】
まず、液晶表示パネル１があり、その液晶表示パネル１は、液晶を介して互いに対向配置された透明基板１Ａ，１Ｂを外囲器としている。この場合、一方の透明基板（図中下側の基板：マトリックス基板１Ａ）は他方の透明基板（図中上側の基板：カラーフィルタ基板１Ｂ）に対して若干大きく形成され、図中下側と右側の周辺端はほぼ面一に合わせて配置されている。
この結果、一方の透明基板１Ａの図中左側の周辺および図中上側の周辺は他方の基透明板１Ｂに対して外方に延在されるようになっている。後に詳述するが、この部分はゲート駆動回路およびドレイン駆動回路が搭載される領域となっている。
【００１５】
各透明基板１Ａ，１Ｂの重畳する領域にはマトリックス状に配置された画素２が構成され、この画素２は、図中ｘ方向に延在されｙ方向に並設される走査信号線３とｙ方向に延在されｘ方向に並設される映像信号線４とで囲まれる領域に形成され、少なくとも、一方の走査信号線３から走査信号の供給によって駆動されるスイッチング素子ＴＦＴと、このスイッチング素子ＴＦＴを介して一方の映像信号線４から供給される映像信号が印加される画素電極とが備えられている。
ここでは、上述したように、各画素２は、いわゆる横電界方式を採用したもので、後に詳述するように、上記のスイッチング素子ＴＦＴおよび画素電極の他に、基準電極および付加容量素子が備えられるようになっている。
【００１６】
そして、各走査信号線３はその一端（図中左側の端部）が透明基板１Ｂ外にまで延在され、透明基板１Ａに搭載されたゲート駆動回路（ＩＣ）５の出力端子に接続されるようになっている。
この場合、ゲート駆動回路５は複数設けられているとともに、前記走査信号線３は互いに隣接するもの同士でグループ化され、これら各グループ化された走査信号線３が近接する各ゲート駆動回路５にそれぞれ接続されるようになっている。
なお、この部分における詳細は、後に図４を用いてさらに説明をする。
【００１７】
また、同様に、各映像信号線４はその一端（図中上側の端部）が透明基板１Ｂ外にまで延在され、透明基板１Ａに搭載されたドレイン駆動回路（ＩＣ）６の出力端子に接続されるようになっている。
この場合も、ドレイン駆動回路６は複数設けられているとともに、前記映像信号線４は互いに隣接するもの同士でグループ化され、これら各グループ化された映像信号線４が近接する各ドレイン駆動回路６にそれぞれ接続されるようになっている。
なお、この部分における詳細は、後に図６を用いてさらに説明をする。
【００１８】
一方、このようにゲート駆動回路５およびドレイン駆動回路６が搭載された液晶表示パネル１に近接して配置されるプリント基板１０（コントロール基板１０）があり、このプリント基板１０には電源回路１１等の他に、前記ゲート駆動回路５およびドレイン駆動回路６に入力信号を供給するためのコントロール回路１２が搭載されている。
そして、このコントロール回路１２からの信号はフレキシブル配線基板（ゲート回路基板１５、ドレイン回路基板１６Ａ、ドレイン回路基板１６Ｂ）を介してゲート駆動回路５およびドレイン駆動回路６に供給されるようになっている。
【００１９】
すなわち、ゲート駆動回路５側には、これら各ゲート駆動回路５の入力側の端子にそれぞれ対向して接続される端子を備えるフレキシブル配線基板（ゲート回路基板１５）が配置されている。
そのゲート回路基板１５は、その一部が前記コントロール基板１０側に延在されて形成され、その延在部において、該コントロール基板１０と接続部１８を介して接続されている。
【００２０】
コントロール基板１０に搭載されたコントロール回路１２からの出力信号は、該コントロール基板１０上の配線層、前記接続部１８、さらにはゲート回路基板１５上の配線層を介して各ゲート駆動回路５に入力されるようになっている。
【００２１】
また、ドレイン駆動回路６側には、これら各ドレイン駆動回路６の入力側の端子にそれぞれ対向して接続される端子を備えるドレイン回路基板１６Ａ，１６Ｂが配置されている。
このドレイン回路基板１６Ａ，１６Ｂは、その一部が前記コントロール基板１０側に延在されて形成され、その延在部において、該コントロール基板１０と接続部１９Ａ，１９Ｂを介して接続されている。
【００２２】
コントロール基板１０に搭載されたコントロール回路１２からの出力信号は、該コントロール基板１０上の配線層、前記接続部１９Ａ，１９Ｂ、さらにはドレイン回路基板１６Ａ，１６Ｂ上の配線層を介して各ドイレン駆動回路１６Ａ，１６Ｂに入力されるようになっている。
【００２３】
ここで、この実施例において特徴をなすのは、ドレイン駆動回路６側のドレイン回路基板１６Ａ，１６Ｂは、図示のように、２個に分割されて設けられていることにある。
このようにした理由は、液晶表示パネル１の大型化にともなって、ドレイン回路基板の図中ｘ方向への長さの増大による熱膨張による弊害を防止するためである。
【００２４】
すなわち、ドレイン回路基板の液晶表示パネル１への接続を行う前において、熱によってドレイン回路基板が膨張していた場合、このドレイン回路基板と液晶表示パネル１との充分な電気的接続が図れなくなる。
ドレイン回路基板および液晶表示パネル１にはそれぞれ互いに対向するようにして配置される配線端子が設けられ、これら各配線端子の導電体を介した接続によってなされるため、ドイレン回路基板側において大きな熱膨張（透明基板のそれと比較して）があった場合に、接続されるべき各配線端子にずれが発生してしまうからである。
【００２５】
また、ドレイン回路基板の液晶表示パネル１への接続を行った後において、たとえ上述した弊害がなく充分な電気的接続が図れたとしても、その後のドレイン回路基板の熱による膨張によって、接続された各配線端子の間に応力が発生し、それらの接続が剥がれてしまうからである。
【００２６】
このため、この実施例のようにフレキシブル配線基板を２つに分割することによって、それぞれのフレキシブル配線基板１６Ａ，１６Ｂの熱による膨張を少なくすることができ、上述した弊害の発生を緩和させることができるようになる。
【００２７】
このことから、フレキシブル配線基板は必ずしも２つに分割することに限定されることはないのはいうまでもない。それ以上にすることによって上述した弊害に対する効果はさらに大きくなるからである。
【００２８】
また、ドレイン回路基板は、その駆動回路に接続される側において、少なくともその反対側より熱による膨張が少なくなる手段が施されるようにしてもよいことはもちろんである。
【００２９】
たとえば、図２に示すように、ドレイン回路基板の駆動回路に接続される側において、該ドレイン回路基板の長手方向に直交する方向にスリット２０を設けるようにしてもよい。
この場合、ドレイン回路基板は、上述した実施例のように分割されていないが、分割されている場合と同様な効果を得ることができるからである。
【００３０】
また、実施例のように、たとえば２つに分割されたドレイン回路基板１６Ａ，１６Ｂは、それぞれコントロール基板１０との接続部１９Ａ，１９Ｂが形成され、これら接続部１９Ａ，１９Ｂは、ドレイン回路基板１６Ａ，１６Ｂに対するコントロール基板１０の機械的および電気的な接続を図っている。
【００３１】
そして、コントロール基板１０上のコントロール回路１２からの出力は、図１の点線Ａ，Ｂで示すように、ドレイン回路基板１６Ａの接続部１９Ａ、およびドレイン回路基板１６Ｂの接続部１９Ｂをそれぞれ介して、対応するドレイン駆動回路６に入力されている。
【００３２】
このように構成した場合、各ドレイン回路基板１６Ａ，１６Ｂの接続部１９Ａ，１９Ｂからそれぞれ最も遠い映像信号線４およびその近傍の映像信号線４までの距離が従来よりも短くなるため、該映像信号線４に供給される映像信号の波形歪みの発生を防止することができるようになる。
【００３３】
すなわち、ドレイン回路基板１６Ａ，１６Ｂの配線は、充放電を繰り返す回路が組み込まれているドレイン駆動回路６によって容量が大きくなってしまうが、そのドレイン駆動回路６の数を上述した構成によって半減させることにより、容量の大幅な減少を達成できるようになるからである。
【００３４】
そして、図１に示すように、コントロール基板１０には、映像信号源２２からケーブル２３によってインターフェース基板２４を介して映像信号が供給され、該コントロール基板１０に搭載されたコントロール回路１２に入力されるようになっている。
【００３５】
なお、この図では、液晶表示パネル１、ゲート回路基板１５、ドイレン回路基板１６Ａ，１６Ｂ、およびコントロール基板１０がほぼ同一平面内に位置づけられるように描かれているが、実際には該コントロール基板１０はゲート回路基板１５、ドイレン回路基板１６Ａ，１６Ｂの部分で屈曲されて液晶表示パネル１に対してほぼ直角になるように位置づけられるようになっている。
【００３６】
いわゆる額縁の面積を小さくさせる趣旨からである。ここで、額縁とは、液晶表示装置の外枠の輪郭と表示部の輪郭の間の領域をいい、この領域を小さくすることによって、外枠に対して表示部の面積を大きくできる効果を得ることができる。
【００３７】
〔画素の構成〕
図３は、前記画素２の詳細な構成を示す平面図を示している。
同図において、透明基板（マトリックス基板）１Ａの主表面に、ｘ方向に延在する走査信号線３と対向電圧信号線５０とが形成されている。そして、これら各信号線３，５０と後述のｙ方向に延在する映像信号線２とで囲まれる領域が画素領域として形成されることになる。
【００３８】
すなわち、この実施例では、走査信号線３との間に対向電圧信号線５０が走行して形成され、その対向電圧信号線５０を境にして±ｙ方向のそれぞれに画素領域が形成されることになる。
このようにすることによって、ｙ方向に並設される対向電圧信号線５０は従来の約半分に減少させることができ、それによって閉められていた領域を画素領域側に分担させることができ、該画素領域の面積を大きくすることができるようになる。
【００３９】
各画素領域において、前記対向電圧信号線５０にはそれと一体となってｙ方向に延在された対向電極５０Ａがたとえば３本当間隔に形成されている。これら各対向電極５０Ａは走査信号線３に接続されることなく近接して延在され、このうち両脇の２本は映像信号線３に隣接して配置され、残りの１本は中央に位置づけられている。
【００４０】
さらに、このように走査信号線３、対向電圧信号線５０、および対向電極５０Ａが形成された透明基板１Ａの主表面には、これら走査信号線３等をも被ってたとえばシリコン窒化膜からなる絶縁膜が形成されている。この絶縁膜は後述する映像信号線２に対しては走査信号線３および対向電圧信号線５０との絶縁を図るための層間絶縁膜として、薄膜トランジスタＴＦＴに対してはゲート絶縁膜として、蓄積容量Ｃｓｔｇに対しては誘電体膜として機能するようになっている。
【００４１】
この絶縁膜の表面には、まず、その薄膜トランジスタＴＦＴの形成領域において半導体層５１が形成されている。この半導体層５１はたとえばアモルファスＳｉからなり、走査信号線３上において後述する映像信号線２に近接された部分に重畳されて形成されている。これにより、走査信号線３の一部が薄膜トランジスタＴＦＴのゲート電極を兼ねた構成となっている。
【００４２】
そして、この絶縁膜の表面にはそのｙ方向に延在しかつｘ方向に並設される映像信号線２が形成されている。この映像信号線２は、薄膜トランジスタＴＦＴを構成する前記半導体層５１の表面の一部にまで延在されて形成されたドレイン電極２Ａが一体となって備えられている。
【００４３】
さらに、画素領域における絶縁膜の表面には薄膜トランジスタＴＦＴのソース電極５３Ａに接続された画素電極５３が形成されている。この画素電極５３は前記対向電極５０Ａのそれぞれの中央をｙ方向に延在して形成されている。すなわち、画素電極５３の一端は前記薄膜トランジスタＴＦＴのソース電極５３Ａを兼ね、そのままｙ方向に延在され、さらに対向電圧信号線５０上をｘ方向に延在された後に、ｙ方向に延在するコ字形状となっている。
【００４４】
ここで、画素電極５３の対向電圧信号線５０に重畳される部分は、該対向電圧信号線５０との間に前記絶縁膜を誘電体膜とする蓄積容量Ｃｓｔｇを構成している。この蓄積容量Ｃｓｔｇによってたとえば薄膜トランジスタＴＦＴがオフした際に画素電極５３に映像情報を長く蓄積させる効果を奏するようにしている。
【００４５】
なお、前述した薄膜トランジスタＴＦＴのドレイン電極２Ａとソース電極５３Ａとの界面に相当する半導体層５１の表面にはリン（Ｐ）がドープされて高濃度層となっており、これにより前記各電極におけるオーミックコンタクトを図っている。この場合、半導体層５１の表面の全域には前記高濃度層が形成されており、前記各電極を形成した後に、該電極をマスクとして該電極形成領域以外の高濃度層をエッチングするようにして上記の構成とすることができる。
【００４６】
そして、このように薄膜トランジスタＴＦＴ、映像信号線２、画素電極５３、および蓄積容量Ｃｓｔｇが形成された絶縁膜の上面にはたとえばシリコン窒化膜からなる保護膜が形成され、この保護膜の上面には配向膜が形成されて、液晶表示パネル１のいわゆる下側基板を構成している。
【００４７】
なお、図示していないが、いわゆる上側基板となる透明基板（カラーフィルタ基板）１Ｂの液晶側の部分には、各画素領域に相当する部分に開口部を有するブラックマトリックス（図３の符号５４に相当する）が形成されている。
【００４８】
さらに、このブラックマトリックス５４の画素領域に相当する部分に形成された開口部を被ってカラーフィルタが形成されている。このカラーフィルタはｘ方向に隣接する画素領域におけるそれとは異なった色を備えるとともに、それぞれブラックマトリックス５４上において境界部を有するようになっている。
また、このようにブラックマトリックス、およびカラーフィルタが形成された面には樹脂膜等からなる平坦膜が形成され、この平坦膜の表面には配向膜が形成されている。
【００４９】
〔ゲート駆動回路周辺の構成〕
図４は、ゲート駆動回路およびその周辺の構成の詳細を示す図で、同図（ａ）は平面図で図１の点線で囲まれた枠Ｐの部分を示し、同図（ｂ）は同図（ａ）のｂ−ｂ線における断面図である。
同図において、透明基板（マトリックス基板）１Ａの表面には、図中右側から走査信号線３が延在されている。これら各走査信号線３は互いに隣接するもの同士でグループ化され、これらグループ化された各走査信号線は互いに収束する方向に屈曲され、その先端部において端子が形成されている。
【００５０】
これら各端子は、ゲート駆動回路５の出力側の各電極（バンプ）に対応して設けられるもので、該各電極とピッチが同じになっている。
ゲート駆動回路５は半導体集積回路（ＩＣ）から構成され、その電極が形成された面を下にして（フェースダウン）透明基板１Ａ上に搭載（フェースダウンボンデング）されている。
【００５１】
また、透明基板１Ａ上にはゲート駆動回路５の入力側の各電極（バンプ）に接続される配線層が形成され、この配線層は透明基板の周辺端にまで延在されている。
この配線層の延在部は、ゲート回路基板１５に形成された端子に接続される部分となっており、該端子とピッチが同じになっている。
【００５２】
上述したように、コントロール基板１０上のコントロール回路１２からの信号はこのゲート回路基板１５に形成された配線を介して各ゲート駆動回路５に入力され、これら各ゲート駆動回路５の出力は各走査信号線３に供給されるようになっている。
【００５３】
図５は、ゲート回路基板１５を介してゲート駆動回路５に入力される各信号（換言すれば、コントロール回路１２から出力される各信号）と、各ゲート駆動回路５から各走査信号線３に供給される信号との関係を示している。
【００５４】
〔ドレイン駆動回路周辺の構成〕
図６は、ドレイン駆動回路およびその周辺の構成の詳細を示す図で、同図（ａ）は平面図で図１の点線で囲まれた枠Ｑの部分を示し、同図（ｂ）は同図（ａ）のｂ−ｂ線における断面図である。
同図から明らかとなるように、ゲート駆動回路５の周辺の構成とほぼ同じになっている。
【００５５】
ここで、ゲート駆動回路５の周辺の構成と異なる部分は、図１の構成で説明したように、図中ｘ方向に並設されている各ドレイン駆動回路６のうち左半分の各ドレイン駆動回路６はドレイン回路基板１６Ａの側から信号が供給されるようになっており、右半分の各ドレイン駆動回路６はドレイン回路基板１６Ｂの側から信号が供給されるようになっていることにある。
【００５６】
図７は、たとえば一方のドレイン回路基板１６Ａを介してドレイン駆動回路６に入力される各信号（換言すれば、コントロール回路１２から出力される各信号）と、各ドレイン駆動回路６から各映像信号線４に供給される信号との関係を示している。
なお、図６はドレイン駆動回路６がｘ方向に並設されている状態で示しているのに対し、図７はドレイン駆動回路６がｙ方向に並設されている状態で示している。
【００５７】
〔フレキシブル配線基板〕
図８は、ゲート回路基板１５、ドレイン回路基板１６Ａ、およびドレイン回路基板１６Ｂの断面を示している。
同図から明らかなように、これら各回路基板１５，１６Ａ，１６Ｂは多層構造からなっている。
【００５８】
すなわち、各層は、ポリイミドフィルム６０を基板としてＣｕからなる配線層６１が形成され、その表面にはＣｕメッキ６２がなされている。そして、これら各層は接着材６３によって接着されることによって多層となっている。
【００５９】
そして、各層の配線層との接続は、それら配線層の重畳部において形成された貫通孔６４に充填された導電材によってなされている。
この場合、液晶表示パネル１に接続される部分は、単層になっており、その端子にはＡｕメッキ６５が施されている。
【００６０】
他の実施例
上述した実施例では、ドレイン駆動回路６の側に接続される２個のドレイン回路基板１６Ａ，１６Ｂに、コントロール回路１２からの出力がそれぞれ入力されるように構成されたものである。
それによって、映像信号線への映像信号の波形歪みの発生を抑制せしめるためである。
【００６１】
しかし、該ドレイン回路基板１６Ａ，１６Ｂの熱膨張による弊害を防止する目的のみならば、このように構成することなく、コントロール回路１２からの出力をドレイン回路基板１６Ａに入力させ、さらに、このドレイン回路基板１６Ａを介してドレイン回路基板１６Ｂに入力させるように構成してもよい。
すなわち、ドレイン回路基板１６Ａ，１６Ｂはそれぞれ分割された形態をとるのみで、これら各ドレイン回路基板１６Ａ，１６Ｂの信号伝達経路は従来と同様となる構成とするものである。
【００６２】
上述した実施例では、ドレイン駆動回路６の側に接続される２個のドレイン回路基板１６Ａ，１６Ｂは、コントロール基板１０に接続されるそれぞれの接続部１９Ａ，１９Ｂが、同じ方向（図中左側）に形成されたものである。
【００６３】
しかし、図９に示すように、ドレイン回路基板１６Ａ，１６Ｂは、それら各接続部１９Ａ，１９Ｂが互いに隣接するように配置するようにしてもよいことはいうまでもない。
【００６４】
そして、この場合、各接続部１９Ａ，１９Ｂの間にコントロール回路１２を配置させ、かつ、このコントロール回路１２からの出力をそれぞれ前記各接続部１９Ａ，１９Ｂを介してドレイン回路基板１６Ａ，１６Ｂらに供給させることによって、該コントロール回路１２から最も遠い位置にある映像信号線４までの距離を大幅に小さくさせることができるようになる。
【００６５】
このことは、該コントロール回路１２から最も遠い位置にある映像信号線４およびその近傍の映像信号線４に供給される映像信号の波形歪みの発生を減少させることができるようになる。
【００６６】
上述した各実施例では、ドレイン駆動回路６側のドレイン回路基板１６Ａ，１６Ｂの改良について説明したものである。しかし、ゲート駆動回路５側のゲート回路基板１５にも本発明を適用できることはいうまでもない。
【００６７】
ゲート駆動回路５側のゲート回路基板１５は、ドレイン駆動回路６側のドレイン回路基板１６Ａ，１６Ｂと比較して、供給される信号が異なるのみで、機械的構成においては全く同じである。そして、液晶表示パネル１の大型化がさらに進み、液晶表示パネル１のゲート駆動回路５側の辺がさらに大きくなることによって、同様の問題が発生するからである。
【００６８】
上述した各実施例では、液晶表示装置としていわゆる横電界方式のものについて説明したものである。しかし、いわゆる縦電界方式のものについても適用できることはいうまでもない。
【００６９】
ここで、縦電界方式の液晶表示装置とは、液晶を介して互いに対向配置される透明基板の液晶側の面に、それぞれ透明な電極が形成され、これら各電極の間の電位差によって液晶に電界を発生させる構造のものをいう。
このような液晶表示装置であっても、その液晶表示パネルに搭載される駆動回路、フレキシブル配線基板、およびプリント基板等において同じ構成ならば、そのまま本発明を適用できるからである。
【図面の簡単な説明】
【００７０】
【図１】本発明による液晶表示装置の一実施例を示す全体構成図である。
【図２】本発明による液晶表示装置のドレイン回路基板の他の実施例を示す構成図である。
【図３】本発明による液晶表示装置の画素の一実施例を示す平面図である。
【図４】本発明による液晶表示装置のゲート駆動回路およびその周辺の一実施例を示す構成図である。
【図５】本発明による液晶表示装置のゲート駆動回路の入出力信号の関係を示す図である。
【図６】本発明による液晶表示装置のドレイン駆動回路およびその周辺の一実施例を示す構成図である。
【図７】本発明による液晶表示装置のドレイン駆動回路の入出力信号の関係を示す図である。
【図８】本発明による液晶表示装置に用いられるフレキシブル基板の構成を示す断面図である。
【図９】本発明による液晶表示装置の他の実施例を示す説明図である。
【符号の説明】
【００７１】
１…液晶表示パネル、２…画素、５…ゲート駆動回路、６…ドレイン駆動回路、１０…コントロール基板、１２…コントロール回路、１５…ゲート回路基板、１６Ａ，１６Ｂ……ドレイン回路基板。
【図１】
2006146225.tif 000002
【図２】
2006146225.tif 000003
【図３】
2006146225.tif 000004
【図４】
2006146225.tif 000005
【図５】
2006146225.tif 000006
【図６】
2006146225.tif 000007
【図７】
2006146225.tif 000008
【図８】
2006146225.tif 000009
【図９】
2006146225.tif 000010